(57)【要約】【課題】簡単な構造でありながら、扉の上部や水切り部に水滴が溜まることのない筐体の屋根構造を提供する。【解決手段】筐体１の屋根を構成する天井板４の先端に、中空構造の折返し部６を形成し、この折返し部６の下面８を先端側が低くなる傾斜面としたことを特徴とする。折返し部の下面８を、角度の異なる複数面としてもよい。折返し部の先端を、筐体の扉よりも外側とすることが好ましい。水滴の溜まりを防止することができ、また溶接部を減少させて錆の発生も抑制できる。【選択図】図５
2017092260.tif 000002
【特許請求の範囲】
【請求項１】
筐体の屋根を構成する天井板の先端に中空構造の折返し部を形成し、この折返し部の下面を先端側が低くなる傾斜面としたことを特徴とする筐体の屋根構造。
【請求項２】
折返し部の下面が、角度の異なる複数の面からなることを特徴とする請求項１に記載の筐体の屋根構造。
【請求項３】
折返し部の先端を、筐体の扉よりも外側としたことを特徴とする請求項１または２に記載の筐体の屋根構造。
【発明の詳細な説明】
【技術分野】
【０００１】
本発明は、屋外に設置される電気機器収納用などの筐体の屋根構造に関するものである。
【背景技術】
【０００２】
屋外に設置される電気機器収納用などの筐体には、屋根と、屋根から流下する雨水が扉の内側に浸入することを防止するための水切り部とが設けられている。このような筐体のうち、金属板を折り曲げて形成される筐体の場合には、特許文献１に示されるように、筐体の屋根を構成する天井板の先端に中空構造の折返し部を形成し、さらにその先端に水切り部を形成した構造が知られている。
【０００３】
しかし従来の筐体の屋根構造は、特許文献１のように折返し部の下面が水平に形成されていたので、結露が折返し部に付着した場合や、天井板の先端から流下する雨水の一部が水滴となって折返し部の下面を伝わって移動し、扉の上部や、水切り部に水滴が溜まることがあった。
【０００４】
扉にはパッキンが設けられているため扉を閉じた状態では問題がないが、扉を開いたときに扉の上部に溜まった水滴が筐体の内部に入ることがある。また、水切り部に溜まった水滴は錆発生の原因となることがある。
【先行技術文献】
【特許文献】
【０００５】
【特許文献１】特開２００８−６６４４５号公報
【発明の概要】
【発明が解決しようとする課題】
【０００６】
従って本発明の目的は上記した従来の問題点を解決し、簡単な構造であり、扉の上部や水切り部に水滴が溜まることのない筐体の屋根構造を提供することである。
【課題を解決するための手段】
【０００７】
上記の課題を解決するためになされた本発明は、筐体の屋根を構成する天井板の先端に中空構造の折返し部を形成し、この折返し部の下面を先端側が低くなる傾斜面としたことを特徴とするものである。
【０００８】
なお請求項２のように、折返し部の下面を、角度の異なる複数の傾斜面とすることができ、また請求項３のように、折返し部の先端を、筐体の扉よりも外側とすることが好ましい。
【発明の効果】
【０００９】
本発明の筐体の屋根構造は、折返し部の下面を先端側が低くなる傾斜面としたので、折返し部の下面に付着した水滴は、筐体側に移動することなく折返し部の先端から滴下する。このため扉の上部や水切り部に水滴が溜まることが防止できる。
【００１０】
請求項２の発明のように、折返し部の下面の傾斜面を角度の異なる複数面とし、先端側を急斜面とすれば、さらに水滴が溜まりにくくなる。
【００１１】
請求項３の発明のように、折返し部の先端を筐体の扉よりも外側とすれば、扉の上部や水切り部に水滴が溜まることをより確実に防止することができる。
【図面の簡単な説明】
【００１２】
【図１】第１の実施形態を示す斜視図である。
【図２】第１の実施形態を示す側面図である。
【図３】筐体の組立工程の説明図である。
【図４】第１の実施形態を示す端面図である。
【図５】その要部拡大端面図である。
【図６】第２の実施形態を示す端面図である。
【図７】その要部拡大端面図である。
【発明を実施するための形態】
【００１３】
以下に本発明の実施形態を説明する。
図１は本発明の第１の実施形態を示す斜視図、図２はその側面図である。これらの図において、１は筐体、２は筐体１の前面に設けられた扉である。この実施形態の筐体１は、図３に示すように一枚の金属板を折り曲げて側面板３、天井板４、底板５を形成し、隣接する端部を溶接して形成されたものである。
【００１４】
図４、図５に示すように、天井板４は水平または前下がりの斜面であり、その先端には中空構造の折返し部６が一連に形成されている。この折返し部６は、前端面７とそれに続く下面８とからなり、この下面８の筐体１側の端部には、垂直辺９とその下端から前方に延びる水平辺１０とその先端から上方に延びる立上げ辺１１とからなる水切り部１２が形成されている。いうまでもなく、水切り部１２は扉２の上部折り曲げ辺１３の端部から流下する雨水を受けることができる位置にある。
【００１５】
本発明ではこの折返し部６の下面８を、先端側が低くなる傾斜面としてある。このように前下がりの傾斜面とすることにより、折返し部６の下面に付着した水滴は、筐体１側に移動することなく折返し部６の先端から滴下する。滴下した水滴が扉２に当たらないように、折返し部６の先端を扉２よりも外側とすることが好ましい。なお、天井板４と下面８とを平行とし、景観を良くするものであっても良い。
【００１６】
上記の構造とすることによって、下面８を伝わってきた水滴が扉２の上部折り曲げ辺１３に溜まったり、水切り部１２に溜まることが防止できる。また扉２の上面も下面８に対応した傾斜面とすることにより、水滴が落下した場合でも、速やかに排水可能としている。また結露が下面８に付着した場合においても、折返し部６の先端から滴下させることができる。
【００１７】
また、図３に示すように天井板４の先端を順次折り曲げて折返し部６や水切り部１２を形成したので、中空の折り返し構造とすることにより、強度を確保することができる。
【００１８】
さらに、天井板４の先端を順次折り曲げて折返し部６を形成したことにより、扉２の上部空間が小さくなり、外観がよくなるうえ、扉２の上端と天井との隙間が小さくなるので、異物が侵入しにくくなる利点もある。
【００１９】
図６と図７は本発明の第２の実施形態を示す。この第２の実施形態では、折返し部６の下面８を角度の異なる複数の面とした。図７に示されるように、この実施形態では、先端側を急斜面１４、奥側を水平面１５とした。
【００２０】
このように先端側を急斜面１４とすれば、折返し部６の下面８に伝わった水滴をより確実に屋根の先端から滴下させることができる。なお、水平面１５を緩斜面とすることにより、折返し部６の下面８に伝わった水滴は急斜面１４を介して屋根の先端から確実に滴下させることができる。この場合にも、折返し部６の先端を扉２よりも外側とすることが好ましい。
【００２１】
このように中空構造の折返し部６は、塗装工程において塗装液が抜けにくくなるため、図３のように塗装抜き孔６ａを形成しておくことが望ましい。
【００２２】
以上に説明したように、本発明の筐体の屋根構造は、簡単な構造でありながら、扉２の上部や水切り部１２に水滴が溜まることを確実になくし、扉２を開いたときに水滴が筐体１の内部に入ることや、水切り部１２の錆の発生を防止することができる利点がある。
【符号の説明】
【００２３】
１  筐体
２  扉
３  側面板
４  天井板
５  底板
６  折返し部
６ａ  塗装抜き孔
７  前端面
８  下面
９  垂直辺
１０  水平辺
１１  立上げ辺
１２  水切り部
１３  上部折り曲げ辺
１４  急斜面
１５  水平面
【図１】
2017092260.tif 000003
【図２】
2017092260.tif 000004
【図３】
2017092260.tif 000005
【図４】
2017092260.tif 000006
【図５】
2017092260.tif 000007
【図６】
2017092260.tif 000008
【図７】
2017092260.tif 000009